(57)【要約】【課題】入力されるオーディオ信号について、直流成分が少ないオーディオ信号の音質を悪化させず、直流成分が多いオーディオ信号の音質を向上させることができるオーディオ信号処理装置およびオーディオ信号処理方法を提供すること。【解決手段】本発明の実施形態に係るオーディオ信号処理装置１００は、含まれる直流成分が多い低品質なオーディオ信号Ｓｉｎが入力されたときには、直流成分除去部１においてその直流成分を除去したオーディオ信号Ｓｈを出力部２から出力させることができる一方、含まれる直流成分が少ない高品質なオーディオ信号Ｓｉｎが入力されたときには、その品質を維持したままオーディオ信号Ｓｉｎを出力部２から出力させることができる。【選択図】図１
2009239676.tif 000002
【特許請求の範囲】
【請求項１】
オーディオ信号を取得する取得手段と、
前記取得手段によって取得されたオーディオ信号の直流成分を除去する除去手段と、
前記取得手段によって取得されたオーディオ信号の直流成分の電圧値を検出する検出手段と、
前記検出手段によって検出された前記直流成分の電圧値の絶対値と予め設定された設定値とを比較して、その大小関係を示す比較信号を出力する比較手段と、
前記比較手段によって出力される比較信号に応じて、前記除去手段によって直流成分が除去されたオーディオ信号と前記取得手段によって取得されたオーディオ信号とを切り替えて出力する出力制御手段と
を具備することを特徴とするオーディオ信号処理装置。
【請求項２】
前記出力制御手段は、出力するオーディオ信号を切り替えるときには、クロスフェード処理により切り替える
ことを特徴とする請求項１に記載のオーディオ信号処理装置。
【請求項３】
前記除去手段によって直流成分が除去されたオーディオ信号と前記取得手段によって取得されたオーディオ信号とを所定時間バッファするバッファ手段
をさらに具備し、
前記出力制御手段は、前記バッファ手段によってバッファされたオーディオ信号であって、前記除去手段によって直流成分が除去されたオーディオ信号と前記取得手段によって取得されたオーディオ信号とを切り替えるときのクロスフェード処理を前記所定時間以下の時間で行う
ことを特徴とする請求項２に記載のオーディオ信号処理装置。
【請求項４】
前記出力制御手段は、前記除去手段によって直流成分が除去されたオーディオ信号を出力しているときに、前記比較手段によって出力される比較信号が、前記直流成分の電圧値の絶対値が前記設定値より小さい状態であることを示す状態が所定時間以上続いたときには、前記取得手段によって取得されたオーディオ信号に切り替えて出力する
ことを特徴とする請求項１乃至請求項３のいずれかに記載のオーディオ信号処理装置。
【請求項５】
前記取得手段によって取得されるオーディオ信号の音量レベルを検出する音量検出手段
をさらに具備し、
前記出力制御手段は、前記除去手段によって直流成分が除去されたオーディオ信号出力手段から出力させているときに、前記音量検出手段によって検出された音量レベルが所定値以下である期間が所定時間続いたときには、出力手段から出力されるオーディオ信号を前記取得手段によって取得されたオーディオ信号に切り替える
ことを特徴とする請求項１乃至請求項３のいずれかに記載のオーディオ信号処理装置。
【請求項６】
オーディオ信号が入力される入力端子を複数有する入力手段と、
前記複数の入力端子のうち、一の入力端子を選択する選択手段と
をさらに具備し、
前記取得手段は、前記選択手段によって選択された入力端子に入力されるオーディオ信号を取得し、
前記出力制御手段は、前記選択手段によって選択された入力端子が予め設定された特定の入力端子である場合には、前記比較信号にかかわらず前記取得手段によって取得されたオーディオ信号を出力する
ことを特徴とする請求項１乃至請求項５のいずれかに記載のオーディオ信号処理装置。
【請求項７】
所定のフォーマット形式のオーディオデータが入力され、当該オーディオデータをデコードしてオーディオ信号を生成するデコード手段
をさらに具備し、
前記取得手段は、前記デコード手段によって生成されたオーディオ信号を取得し、
前記出力制御手段は、前記デコード手段に入力されるオーディオデータに係るフォーマット形式が所定の条件を満たす場合には、前記比較信号にかかわらず前記取得手段によって取得されたオーディオ信号を出力する
ことを特徴とする請求項１乃至請求項５のいずれかに記載のオーディオ信号処理装置。
【請求項８】
オーディオ信号を取得する取得過程と、
前記取得過程において取得されたオーディオ信号の直流成分を除去する除去過程と、
前記取得過程において取得されたオーディオ信号の直流成分の電圧値を検出する検出過程と、
前記検出過程において検出された前記直流成分の電圧値の絶対値と予め設定された設定値とを比較して、その大小関係を示す比較信号を出力する比較過程と、
前記比較過程において出力される比較信号に応じて、前記除去過程において直流成分が除去されたオーディオ信号と前記取得過程において取得されたオーディオ信号とを切り替えて出力する出力制御過程と
を備えることを特徴とするオーディオ信号処理方法。
【発明の詳細な説明】
【技術分野】
【０００１】
本発明は、オーディオ信号の再生時における音質を向上させる技術に関する。
【背景技術】
【０００２】
ＡＶアンプなど、入力されるオーディオ信号に信号処理を施して出力する装置において、入力されるオーディオ信号に直流成分が含まれていると、アナログ増幅回路、装置などへの負荷、クリップ、ノイズなどの音質の悪化を引き起こす。そこで、このような負荷、音質の悪化を防ぐために、信号処理経路の途中にオーディオ信号の直流成分を除去するための機能が設けられている（例えば、特許文献１）。
【特許文献１】特開２００４−８８２４５号公報
【発明の開示】
【発明が解決しようとする課題】
【０００３】
このような直流成分除去機能は、入力されるオーディオ信号について直流成分の除去を行うが、直流成分を含まない高品質のオーディオ信号に対しても直流成分の除去を行う処理がなされてしまう。そのため、直流成分が含まれるオーディオ信号については、直流成分除去機能によって音質を向上させることができたが、直流成分が含まれないオーディオ信号については、余分な処理を行うことにより本来の高品質な音質を悪化させることがあった。
【０００４】
本発明は、上述の事情に鑑みてなされたものであり、入力されるオーディオ信号について、直流成分が少ないオーディオ信号の音質を悪化させず、直流成分が多いオーディオ信号の音質を向上させることができるオーディオ信号処理装置およびオーディオ信号処理方法を提供することを目的とする。
【課題を解決するための手段】
【０００５】
上述の課題を解決するため、本発明は、オーディオ信号を取得する取得手段と、前記取得手段によって取得されたオーディオ信号の直流成分を除去する除去手段と、前記取得手段によって取得されたオーディオ信号の直流成分の電圧値を検出する検出手段と、前記検出手段によって検出された前記直流成分の電圧値の絶対値と予め設定された設定値とを比較して、その大小関係を示す比較信号を出力する比較手段と、前記比較手段によって出力される比較信号に応じて、前記除去手段によって直流成分が除去されたオーディオ信号と前記取得手段によって取得されたオーディオ信号とを切り替えて出力する出力制御手段とを具備することを特徴とするオーディオ信号処理装置を提供する。
【０００６】
また、別の好ましい態様において、出力するオーディオ信号を切り替えるときには、クロスフェード処理により切り替えることを特徴とする。
【０００７】
また、別の好ましい態様において、前記除去手段によって直流成分が除去されたオーディオ信号と前記取得手段によって取得されたオーディオ信号とを所定時間バッファするバッファ手段をさらに具備し、前記出力制御手段は、前記バッファ手段によってバッファされたオーディオ信号であって、前記除去手段によって直流成分が除去されたオーディオ信号と前記取得手段によって取得されたオーディオ信号とを切り替えるときのクロスフェード処理を前記所定時間以下の時間で行うことを特徴とする。
【０００８】
また、別の好ましい態様において、前記出力制御手段は、前記除去手段によって直流成分が除去されたオーディオ信号を出力しているときに、前記比較手段によって出力される比較信号が、前記直流成分の電圧値の絶対値が前記設定値より小さい状態であることを示す状態が所定時間以上続いたときには、前記取得手段によって取得されたオーディオ信号に切り替えて出力することを特徴とする。
【０００９】
また、別の好ましい態様において、前記取得手段によって取得されるオーディオ信号の音量レベルを検出する音量検出手段をさらに具備し、前記出力制御手段は、前記除去手段によって直流成分が除去されたオーディオ信号出力手段から出力させているときに、前記音量検出手段によって検出された音量レベルが所定値以下である期間が所定時間続いたときには、出力手段から出力されるオーディオ信号を前記取得手段によって取得されたオーディオ信号に切り替えることを特徴とする。
【００１０】
また、別の好ましい態様において、オーディオ信号が入力される入力端子を複数有する入力手段と、前記複数の入力端子のうち、一の入力端子を選択する選択手段とをさらに具備し、前記取得手段は、前記選択手段によって選択された入力端子に入力されるオーディオ信号を取得し、前記出力制御手段は、前記選択手段によって選択された入力端子が予め設定された特定の入力端子である場合には、前記比較信号にかかわらず前記取得手段によって取得されたオーディオ信号を出力することを特徴とする。
【００１１】
また、別の好ましい態様において、所定のフォーマット形式のオーディオデータが入力され、当該オーディオデータをデコードしてオーディオ信号を生成するデコード手段をさらに具備し、前記取得手段は、前記デコード手段によって生成されたオーディオ信号を取得し、前記出力制御手段は、前記デコード手段に入力されるオーディオデータに係るフォーマット形式が所定の条件を満たす場合には、前記比較信号にかかわらず前記取得手段によって取得されたオーディオ信号を出力することを特徴とする。
【００１２】
また、本発明は、オーディオ信号を取得する取得過程と、前記取得過程において取得されたオーディオ信号の直流成分を除去する除去過程と、前記取得過程において取得されたオーディオ信号の直流成分の電圧値を検出する検出過程と、前記検出過程において検出された前記直流成分の電圧値の絶対値と予め設定された設定値とを比較して、その大小関係を示す比較信号を出力する比較過程と、前記比較過程において出力される比較信号に応じて、前記除去過程において直流成分が除去されたオーディオ信号と前記取得過程において取得されたオーディオ信号とを切り替えて出力する出力制御過程とを備えることを特徴とするオーディオ信号処理方法を提供する。
【発明の効果】
【００１３】
本発明によれば入力されるオーディオ信号について、直流成分が少ないオーディオ信号の音質を悪化させず、直流成分が多いオーディオ信号の音質を向上させることができるオーディオ信号処理装置およびオーディオ信号処理方法を提供することができる。
【発明を実施するための最良の形態】
【００１４】
以下、本発明の一実施形態について説明する。
【００１５】
＜実施形態＞
本発明の実施形態に係るオーディオ信号処理装置は、信号処理経路の途中に設けられる直流成分除去機能を有する装置であって、様々な信号処理が行われるＤＳＰ（ｄｉｇｉｔａｌ  ｓｉｇｎａｌ  ｐｒｏｃｅｓｓｏｒ）などの間に設けられる。そして、オーディオ信号処理装置は、信号処理経路の前段部分からオーディオ信号Ｓｉｎが入力され、そのオーディオ信号Ｓｉｎの直流成分を検出し、オーディオ信号Ｓｉｎに含まれる直流成分が多いときには、その直流成分を除去してオーディオ信号Ｓｏｕｔとして信号処理経路の後段部分へ出力する。一方、直流成分が少ないときにはオーディオ信号Ｓｉｎをそのままオーディオ信号Ｓｏｕｔとして出力する。以下、オーディオ信号処理装置について、図１を用いて説明する。図１は、オーディオ信号処理装置１００の構成を示すブロック図である。
【００１６】
直流成分除去部１は、入力されるオーディオ信号Ｓｉｎを取得し、そのオーディオ信号Ｓｉｎの直流成分を除去する。この例においては、直流成分除去部１は、直流成分の除去を非常に低いカットオフ周波数のＨＰＦ（Ｈｉｇｈ  Ｐａｓｓ  Ｆｉｌｔｅｒ）を用いて行うが、他の公知の方法を用いてもよい。そして、直流成分が除去されたオーディオ信号Ｓｉｎ（以下、オーディオ信号Ｓｈという）を出力部２の増幅部２１に出力する。
【００１７】
出力部２は、増幅部２１、２２および加算器２３を有している。増幅部２１は、直流成分除去部１からオーディオ信号Ｓｈが入力され、後述する制御部４から出力される制御信号Ｇ１によって制御される増幅率で、入力されたオーディオ信号Ｓｈ増幅して加算器２３に出力する。増幅部２２は、オーディオ信号Ｓｉｎが入力され、後述する制御部４から出力される制御信号Ｇ２によって制御される増幅率で、入力されたオーディオ信号Ｓｉｎを増幅して加算器２３に出力する。加算器２３は、増幅部２１から出力された増幅済みのオーディオ信号Ｓｈと、増幅部２２から出力された増幅済みのオーディオ信号Ｓｉｎとを加算して、オーディオ信号Ｓｏｕｔとして出力する。
【００１８】
この例においては、増幅部２１、２２は、後述するように制御部４から出力される制御信号Ｇ１、Ｇ２に応じて増幅率が設定されるから、出力部２は、オーディオ信号Ｓｉｎとオーディオ信号Ｓｈとのクロスフェードを行って、出力するオーディオ信号を切り替えるように動作する。
【００１９】
直流成分検出部３は、入力されるオーディオ信号Ｓｉｎを取得し、そのオーディオ信号Ｓｉｎの直流成分を検出し、検出結果に応じた比較信号を出力する。直流成分検出部３の構成の一例について図２を用いて説明する。
【００２０】
検出部３１は、非常に低いカットオフ周波数のＬＰＦ（Ｌｏｗ  Ｐａｓｓ  Ｆｉｌｔｅｒ）を有し、オーディオ信号ＳｉｎをこのＬＰＦに通すと、オーディオ信号Ｓｉｎの直流成分の電圧値が出力される。そして、検出部３１は、このようにＬＰＦから出力される電圧値の絶対値となる直流電圧を比較器３３に印加する。
【００２１】
基準電圧発生部３２は、比較器３３に予め設定された設定値の基準電圧を印加する。この設定値は、外部に設けられる操作手段を操作して利用者が予め設定しておけばよく、操作手段の操作により変更することもできる。
【００２２】
比較器３３は、コンパレータであって、検出部３１によって印加された直流電圧と、基準電圧発生部３２から印加された基準電圧との電圧値を比較し、その大小関係を示す比較信号を出力する。比較器３３から出力される比較信号は、この例においては、直流電圧が基準電圧以上であればＨレベルを示す比較信号を出力し、直流電圧が基準電圧未満であればＬレベルを示す比較信号を出力する。したがって、この比較信号がＨレベルであるときには、取得したオーディオ信号Ｓｉｎに含まれる直流成分が多いことを示し、Ｌレベルであるときには、直流成分が少ないことを示していることになる。そして、上記基準電圧発生部３２における基準電圧の設定値によって、オーディオ信号Ｓｉｎに含まれる直流成分の「多い」「少ない」の基準が決まることになる。
【００２３】
図１に戻って説明を続ける。制御部４は、直流成分検出部３から比較信号が入力され、比較信号に応じて出力部２の増幅部２１、２２を制御するための制御信号Ｇ１、Ｇ２を出力する。この例においては、制御信号Ｇ１、Ｇ２は、それぞれ、増幅部２１、２２における増幅率を出力レベルによって示す信号である。
【００２４】
この制御信号Ｇ１、Ｇ２について、オーディオ信号Ｓｉｎに含まれる直流成分が少ないとき、すなわち比較信号がＬレベルであるときには、制御信号Ｇ１が示す増幅率は「０」、制御信号Ｇ２が示す増幅率は「１」となる一方、オーディオ信号Ｓｉｎに含まれる直流成分が多いとき、すなわち比較信号がＨレベルであるときには、制御信号Ｇ１が示す増幅率は「１」、制御信号Ｇ２が示す増幅率は「０」となる。ここで、比較信号が示すレベルが切り替わるときには、制御信号Ｇ１、Ｇ２が示す増幅率が比較信号の切り替わった直後に変化する態様とすることもできるが、この例においては、図３、図４に示すような態様で制御信号Ｇ１、Ｇ２を比較信号に応じて変化させる。以下、この変化の態様について説明する。
【００２５】
比較信号がＬレベルからＨレベルに変化したときには、制御部４は、制御信号Ｇ１が示す増幅率を「０」から「１」へ変化させることになるが、このとき、図３に示すように、予め設定された切替時間で変化させる。そして、この変化は概ね指数関数的な態様で変化させる。この制御信号Ｇ１の変化の態様と同様に、制御部４は、制御信号Ｇ２が示す増幅率を「１」から「０」へ変化させる。
【００２６】
一方、比較信号がＨレベルからＬレベルに変化したときには、制御部４は、制御信号Ｇ１が示す増幅率を「１」から「０」へ変化させることになるが、このとき、図４に示すように、比較信号が変化した後、予め設定された待機時間が経過すると、制御信号Ｇ１の変化が開始され、その変化は予め設定された切替時間で行われる。そして、上述同様、この変化は概ね指数関数的な態様で変化させる。この制御信号Ｇ１の変化の態様と同様に、制御部４は、制御信号Ｇ２が示す増幅率を「０」から「１」へ変化させる。
【００２７】
ここで、比較信号がＨレベルからＬレベルに変化した後、待機時間が経過する前に再びＨレベルに戻ると、制御部４は、制御信号Ｇ１、Ｇ２が示す増幅率を変化されることを中止して、制御信号Ｇ１、Ｇ２が示す増幅率は、それぞれ「１」、「０」として維持される。このように待機時間を設定することにより、オーディオ信号Ｓｉｎに含まれる直流成分が一時的に少なくなることにより、出力部２から出力されるオーディオ信号Ｓｏｕｔの内容が頻繁に切り替わることを防ぐことができる。なお、待機時間については必ずしも設定する必要が無く、逆に、比較信号がＬレベルからＨレベルに変化するときに設定されるようにしてもよい。
【００２８】
また、制御部４は、比較信号がＬレベルからＨレベルに変化、およびＨレベルからＬレベルに変化したときには、制御信号Ｇ１が示す増幅率と制御信号Ｇ２が示す増幅率との合計は「１」になるように、制御信号Ｇ１、Ｇ２が示す増幅率を変化させるようにしているが、必ずしも合計が「１」でなくてもよいし、変化している間にその合計が一定に保たれなくてもよい。
【００２９】
このようにして、制御部４から出力される制御信号Ｇ１、Ｇ２に応じて、増幅部２１、２２の増幅率が制御されることにより、出力部２から出力されるオーディオ信号Ｓｏｕｔとなるオーディオ信号Ｓｈおよびオーディオ信号Ｓｉｎが切り替わるときに、クロスフェード処理がなされることになる。
【００３０】
次に、本発明の実施形態に係るオーディオ信号処理装置１００の動作について説明する。まず、オーディオ信号処理装置１００に入力されるオーディオ信号Ｓｉｎは、含まれる直流成分が少なく高品質なオーディオ信号であるものとする。このときには、直流成分検出部３から出力される比較信号はＬレベルを示すものとなる。
【００３１】
したがって、制御部４から出力される制御信号Ｇ１、Ｇ２が示す増幅率は、それぞれ「０」、「１」となる。そのため、出力部２からは、増幅部２２から出力されるオーディオ信号Ｓｉｎが、オーディオ信号Ｓｏｕｔとして出力されることになる。このように、オーディオ信号Ｓｉｎに含まれる直流成分が少ないときには、オーディオ信号Ｓｉｎに対して直流成分除去部１における処理が行われずに、オーディオ信号Ｓｏｕｔとして出力されるから、オーディオ信号Ｓｉｎの品質を維持したまま出力することができる。
【００３２】
そして、入力されるオーディオ信号Ｓｉｎのソースが変化するなどして、含まれる直流成分が多い低品質なオーディオ信号Ｓｉｎがオーディオ信号処理装置１００に入力されると、直流成分検出部３は、オーディオ信号Ｓｉｎに含まれる直流成分が多いことを検出し、比較信号をＨレベルに変化させる。
【００３３】
制御部４は、入力される比較信号がＬレベルからＨレベルに変化したことを検出すると、図３に示すように制御信号Ｇ１、Ｇ２を変化させる。これにより、出力部２から出力されるオーディオ信号Ｓｏｕｔは、オーディオ信号Ｓｉｎから直流成分除去部１において直流成分が除去されたオーディオ信号Ｓｈに切り替わる。そして、この切り替えは、予め設定された切替時間で徐々に切り替わるクロスフェード処理がなされたものとなる。
【００３４】
このように、入力されるオーディオ信号Ｓｉｎに含まれる直流成分が多いときには、直流成分除去部１において直流成分を除去されるから、品質を向上させて出力することができる。また、オーディオ信号Ｓｉｎに含まれる直流成分が連続的に増加したとしても、出力部２から出力されるオーディオ信号Ｓｏｕｔがオーディオ信号Ｓｉｎからオーディオ信号Ｓｈに切り替わる際にクロスフェード処理がなされているから、自然に切り替え前後のオーディオ信号をつなぐことができ、オーディオ信号Ｓｏｕｔを放音した際の聴取者に対する違和感を少なくすることができる。
【００３５】
その後、入力されるオーディオ信号Ｓｉｎのソースが変化するなどして、含まれる直流成分が少ない高品質なオーディオ信号Ｓｉｎがオーディオ信号処理装置１００に入力されると、直流成分検出部３から出力される比較信号が、再びＬレベルに変化することになる。
【００３６】
制御部４は、入力される比較信号がＨレベルからＬレベルに変化したことを検出すると、図４に示すように制御信号Ｇ１、Ｇ２を変化させる。すなわち、比較信号がＬレベルに変化してから待機時間が経過すると、制御信号Ｇ１、Ｇ２の変化が開始される。これにより、出力部２から出力されるオーディオ信号Ｓｏｕｔは、オーディオ信号Ｓｈからオーディオ信号Ｓｉｎにクロスフェード処理がなされて切り替わり、再び、高品質なオーディオ信号Ｓｉｎをそのまま出力することができる。
【００３７】
このように、本発明の実施形態に係るオーディオ信号処理装置１００は、含まれる直流成分が多い低品質なオーディオ信号Ｓｉｎが入力されたときには、直流成分除去部１においてその直流成分を除去したオーディオ信号Ｓｈを出力部２から出力させることができる一方、含まれる直流成分が少ない高品質なオーディオ信号Ｓｉｎが入力されたときには、その品質を維持したままオーディオ信号Ｓｉｎを出力部２から出力させることができる。そして、出力部２から出力されるオーディオ信号Ｓｏｕｔの内容が、オーディオ信号Ｓｈとオーディオ信号Ｓｉｎとで切り替わるときには、クロスフェード処理がなされて、違和感の少ない切り替えを行うことができる。
【００３８】
以上、本発明の実施形態について説明したが、本発明は以下のように、さまざまな態様で実施可能である。
【００３９】
＜変形例１＞
上述した実施形態においては、比較信号がＨレベルからＬレベルになることを条件として出力部２から出力されるオーディオ信号Ｓｏｕｔが、オーディオ信号Ｓｈからオーディオ信号Ｓｉｎに切り替わるようになっていたが、このような切り替えは別の条件により行われるようにしてもよい。この場合には、オーディオ信号処理装置１００を図５に示すような構成とし、音量レベル検出部５を設けるようにすればよい。
【００４０】
音量レベル検出部５は、入力されるオーディオ信号Ｓｉｎを取得し、その音量レベルを検出する。そして、音量レベル検出部５は、検出した音量レベルを示す音量情報を制御部４に出力する。制御部４は、入力される比較信号がＬレベルからＨレベルに変化したときの動作は、実施形態におけるものと同様であるが、入力される比較信号がＨレベルからＬレベルに変化したときには、実施形態における動作とは異なり、制御信号Ｇ１、Ｇ２について変化させずに、そのままの状態、すなわち制御信号Ｇ１、Ｇ２が示す増幅率がそれぞれ「１」、「０」の状態を維持する。
【００４１】
一方、制御部４は、出力する制御信号Ｇ１、Ｇ２が示す増幅率がそれぞれ「１」、「０」であるときに、音量レベル検出部５から出力された音量情報が示す音量レベルが、予め設定された所定値以下である状態が、予め設定された所定時間続くと、制御信号Ｇ１、Ｇ２が示す増幅率を変化させて、それぞれ「０」、「１」とする。この変化の態様は、実施形態におけるものと同様に、オーディオ信号Ｓｏｕｔがオーディオ信号Ｓｈからオーディオ信号Ｓｉｎへの変化が切替時間で行われるようにクロスフェード処理される態様となる。
【００４２】
このようにすると、出力部２から出力されるオーディオ信号Ｓｏｕｔが、一度オーディオ信号Ｓｈに切り替わると、入力されるオーディオ信号Ｓｉｎの音量レベルが低い状態が所定時間続かないと、オーディオ信号Ｓｉｎに切り替わらないようにすることができるから、切り替えの頻度を減らすことができる。これにより、オーディオ信号Ｓｉｎが例えば楽曲を示すものであれば、一度オーディオ信号Ｓｈがオーディオ信号Ｓｏｕｔとして出力されると、一曲の間にはこれ以上切り替わらないようにすることができる。
【００４３】
また、出力部２から出力されるオーディオ信号Ｓｏｕｔが、オーディオ信号Ｓｈからオーディオ信号Ｓｉｎに切り替わる条件は、上記の条件以外の条件であってもよい。例えば、図示しない操作手段を利用者が操作して、切り替える指示を出すことを条件としてもよい。また、オーディオ信号処理装置１００にオーディオ信号Ｓｉｎが入力される信号経路の前段に位置するＤＳＰなどからの切り替え指示を条件としてもよい。この切り替え指示については、例えば、ＤＳＰにおけるデコード処理などの処理内容が切り替わったときにオーディオ信号処理装置１００に対して行われるようにすればよい。
【００４４】
＜変形例２＞
上述した実施形態において、オーディオ信号処理装置１００に入力されるオーディオ信号が所定のフォーマット形式であるオーディオデータＳｄである場合には、図６に示すように、オーディオデータＳｄをオーディオ信号Ｓｉｎにデコードするデコーダ６を設けてもよい。デコーダ６は、オーディオデータＳｄを取得し、そのフォーマット形式を識別してデコードするとともに、識別したフォーマット形式を示すコード情報を生成して、制御部４に出力する。
【００４５】
制御部４は、デコーダ６から入力されたコード情報が示すフォーマット形式が、予め設定された所定の条件（例えば、特定のフォーマット形式であることなど）を満たす場合には、直流成分検出部３から出力される比較信号がＨレベルであってもＬレベルであっても、その比較信号にかかわらず、制御信号Ｇ１、Ｇ２が示す増幅率をそれぞれ「０」、「１」として固定する。これは、特定のフォーマット形式においては、そのオーディオデータに係るオーディオ信号に直流成分が含まれる可能性が非常に低い形式があり、その場合には、直流成分を除去する必要がないから、オーディオ信号Ｓｉｎがオーディオ信号Ｓｏｕｔとして出力部２から出力されるように固定することができる。
【００４６】
なお、デコーダ６から出力されるコード情報については、直流成分検出部３に入力するようにして、基準電圧を変化させることで比較信号がＬレベルに固定されるものとしてもよく、オーディオデータＳｄのフォーマット形式が所定の条件を満たす場合に、出力部２から出力されるオーディオ信号Ｓｏｕｔがオーディオ信号Ｓｉｎに固定される構成であれば、どのような構成としてもよい。また、本変形例においては、制御信号Ｇ１、Ｇ２が示す増幅率をそれぞれ「０」、「１」として固定するものとしたが、それぞれ「１」、「０」と固定されるようにしてもよい。
【００４７】
＜変形例３＞
上述した実施形態においては、制御部４は、比較信号の変化に応じて、図３、図４に示す態様で制御信号Ｇ１、Ｇ２の出力レベルを変化させ、増幅率を変化させていたが、別の態様で変化させてもよい。例えば、制御信号Ｇ１、Ｇ２の出力レベルの変化の態様は、図７に示すような態様であってもよい。すなわち、図７（ａ）に示すように切替時間における制御信号Ｇ１、Ｇ２の出力レベルの変化が直線的に変化する場合、また、図７（ｂ）に示すように、出力レベルの変化が不連続的に変化する場合であってもよい。
【００４８】
そして、図７に示した変化の態様は、制御信号Ｇ１の出力レベルが単調増加し、制御信号Ｇ２の出力レベルが単調減少しているが、必ずしも単調増加、単調減少でなくてもよく、制御信号Ｇ１、Ｇ２の出力レベルが、切替時間内で増加したり、減少したりする態様であってもよい。すなわち、切替時間における変化の態様はどのような態様であってもよい。
【００４９】
＜変形例４＞
上述した実施形態において、図８に示すように、オーディオ信号Ｓｉｎがセレクタ２００から入力されるものとしてもよい。セレクタ２００は、オーディオ信号が入力される入力端子を複数有している。そして、セレクタ２００は、後述する選択部７から出力された選択信号が示す入力端子に入力されたオーディオ信号をオーディオ信号Ｓｉｎとしてオーディオ信号処理装置１００に出力する。
【００５０】
選択部７は、利用者は操作手段などを操作して複数の入力端子から一の入力端子を選択する指示をすると、選択された入力端子を示す選択信号をセレクタ２００および制御部４に出力する。制御部４は、選択部７から出力された選択信号を示す入力端子が、予め設定された特定の入力端子である場合には、直流成分検出部３から出力される比較信号がＨレベルであってもＬレベルであっても、その比較信号にかかわらず、制御信号Ｇ１、Ｇ２が示す増幅率をそれぞれ「０」、「１」として固定する。
【００５１】
これは、特定の入力端子においては、その入力端子の種類などにより入力されるオーディオ信号に直流成分が含まれないことがあり、その場合には、直流成分を除去する必要がないから、オーディオ信号Ｓｉｎがオーディオ信号Ｓｏｕｔとして出力部２から出力されるように固定することができる。
【００５２】
なお、選択部７から出力される選択信号については、直流成分検出部３に入力するようにして、比較信号がＬレベルに固定されるものとしてもよく、選択信号が示す入力端子が特定の入力端子を示す場合には、出力部２から出力されるオーディオ信号Ｓｏｕｔがオーディオ信号Ｓｉｎに固定される構成であれば、どのような構成としてもよい。また、本変形例においては、制御信号Ｇ１、Ｇ２が示す増幅率をそれぞれ「０」、「１」として固定するものとしたが、それぞれ「１」、「０」と固定されるようにしてもよい。
【００５３】
＜変形例５＞
上述した実施形態においては、クロスフェード処理については、入力されるオーディオ信号Ｓｉｎに含まれる直流成分が多いことを検出してから開始されていたが、クロスフェード処理の開始タイミングを早めることにより、入力されたオーディオ信号Ｓｉｎの直流成分が多いことを検出したときには、クロスフェード処理が終了しているようにしてもよい。この場合には、オーディオ信号処理装置１００は、図９に示すようにバッファ部２４を有するようにすればよい。
【００５４】
バッファ部２４は、直流成分除去部１から出力されたオーディオ信号Ｓｈ、および入力されたオーディオ信号Ｓｉｎを予め設定された切替時間以上の所定時間バッファしてから、それぞれ増幅部２１、２２に出力する。このようにすると、オーディオ信号処理装置１００に入力されるオーディオ信号Ｓｉｎに含まれる直流成分が多くなっても、そのオーディオ信号Ｓｉｎがバッファ部２４から出力される前にクロスフェード処理が終了しているから、直流成分が多いオーディオ信号Ｓｉｎがそのままオーディオ信号Ｓｏｕｔとして出力されないようにすることができる。
【００５５】
＜変形例６＞
上述した実施形態においては、基準電圧発生部３２は、比較器３３に予め設定された設定値の基準電圧を印加していたが、比較器３３から出力される比較信号が示すレベルが変化したときに、比較器３３に対して印加する基準電圧の電圧値を変動させてもよい。例えば、比較器３３から出力される比較信号がＬレベルからＨレベルに変化したときに、基準電圧の電圧値を減少させることにより、比較信号が再びＬレベルへ変化しにくい状態にして、比較信号の変化にヒステリシスを持たせてもよい。このようにすると、実施形態に係る制御部４の制御における待機時間が設定されていなくても、実施形態と同様な効果を得ることができる。
【００５６】
＜変形例７＞
上述した実施形態において、出力部２から出力されるオーディオ信号Ｓｏｕｔがオーディオ信号Ｓｉｎであるときには、直流成分除去部１における処理を停止させるようにしてもよい。この場合には、制御部４が直流成分除去部１を制御すればよく、例えば、制御部４から出力される制御信号Ｇ１を直流成分除去部１にも出力し、制御信号Ｇ１の出力レベルが「０」である場合には、処理を停止させるようにすればよい。なお、スイッチなどを設けて、オーディオ信号Ｓｉｎが直流成分除去部１に入力されないように制御部４によって制御されるようにしてもよい。
【図面の簡単な説明】
【００５７】
【図１】実施形態に係るオーディオ信号処理装置の構成を示すブロック図である。
【図２】実施形態に係る直流成分検出部の構成を示すブロック図である。
【図３】実施形態に係る制御信号Ｇ１、Ｇ２の出力レベルの変化の態様を示す説明図である。
【図４】実施形態に係る制御信号Ｇ１、Ｇ２の出力レベルの変化の態様を示す説明図である。
【図５】変形例１に係るオーディオ信号処理装置の構成を示すブロック図である。
【図６】変形例２に係るオーディオ信号処理装置の構成を示すブロック図である。
【図７】変形例３に係る制御信号Ｇ１、Ｇ２の出力レベルの変化の態様を示す説明図である。
【図８】変形例４に係るオーディオ信号処理装置の構成を示すブロック図である。
【図９】変形例５に係るオーディオ信号処理装置の構成を示すブロック図である。
【符号の説明】
【００５８】
１…直流成分除去部、２…出力部、３…直流成分検出部、４…制御部、５…音量レベル検出部、６…デコーダ、７…選択部、２１，２２…増幅部、２３…加算器、２４…バッファ部、３１…検出部、３２基準信号発生部、３３…比較器、１００…オーディオ信号処理装置、２００…セレクタ
【図１】
2009239676.tif 000003
【図２】
2009239676.tif 000004
【図３】
2009239676.tif 000005
【図４】
2009239676.tif 000006
【図５】
2009239676.tif 000007
【図６】
2009239676.tif 000008
【図７】
2009239676.tif 000009
【図８】
2009239676.tif 000010
【図９】
2009239676.tif 000011